【事件の表示】
　商願２００７−　７６０８２拒絶査定不服審判事件について、次のとおり審決する。
【結　論】
　本件審判の請求は、成り立たない。
【理　由】
１　本願商標  
　本願商標は、別掲１に示すとおり、「ＴＩＧＥＲ」（構成中の『Ｇ』と『Ｅ』は、結合されている。以下同じ。）の文字からなり、第３５類「電気機械器具類の小売又は卸売の業務において行われる顧客に対する便益の提供」を指定役務として、平成１９年６月２２日に登録出願、その後、指定役務については、原審における同２１年２月２４日付け手続補正書により、最終的に、第３５類「家庭用電熱用品類の小売又は卸売の業務において行われる顧客に対する便益の提供」に補正されたものである。  
 　　  
２　原査定の拒絶の理由の要点 
　原査定は、「本願商標は、登録第４０１９２３４号商標（以下『引用商標１』という。）、登録第４０１９２３５号商標（以下『引用商標２』という。）、登録第４０６７６１８号商標（以下『引用商標３』という。）、登録第４０７０７２２号商標（以下『引用商標４』という。）、登録第４１４８６０２号商標（以下『引用商標５』という。）、登録第４２３７３９１号商標（以下『引用商標６』という。）、登録第４２４１９５６号商標（以下『引用商標７』という。）、登録第４３０２６８５号商標（以下『引用商標８』という。）及び登録第４８２８０３６号商標（以下『引用商標９』という。）と、同一又は類似の商標であって、同一又は類似の商品及び役務について使用するものであるから、商標法第４条第１項第１１号に該当する。」旨認定、判断し、本願を拒絶したものである。
　　　　　
３　引用商標
ア　引用商標１は、別掲２に示すとおりの構成からなり、平成７年９月６日に登録出願、第９類「理化学機械器具，測定機械器具，配電用又は制御用の機械器具，電池，電気磁気測定器，電線及びケーブル，写真機械器具，映画機械器具，光学機械器具，眼鏡，加工ガラス（建築用のものを除く。），救命用具，電気通信機械器具，レコード，電子応用機械器具及びその部品，オゾン発生器，電解槽，遊園地用機械器具，回転変流機，調相機，電気アイロン，電気式ヘアカーラー，電気式ワックス磨き機，電気掃除機，電気ブザー，鉄道用信号機，乗物の故障の警告用の三角標識，発光式又は機械式の道路標識，火災報知機，事故防護用手袋，消火器，消火栓，消火ホース用ノズル，消防車，消防艇，盗難警報器，保安用ヘルメット，防火被服，防じんマスク，防毒マスク，磁心，自動車用シガーライター，抵抗線，電極，溶接マスク，映写フィルム，スライドフィルム，スライドフィルム用マウント，録画済みビデオディスク及びビデオテープ，ガソリンステーション用装置，自動販売機，駐車場用硬貨作動式ゲート，金銭登録機，計算尺，硬貨の計数又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，ウエイトベルト，ウェットスーツ，浮き袋，エアタンク，水泳用浮き板，潜水用機械器具，レギュレーター，アーク溶接機，犬笛，家庭用テレビゲームおもちゃ，金属溶断機，検卵器，電気溶接装置，電動式扉自動開閉装置，メトロノーム」を指定商品として、同９年６月２７日に設定登録、その後、平成１９年１月２３日に商標権の存続期間の更新登録がなされ、現に有効に存続しているものである。
イ　引用商標２は、別掲２に示すとおりの構成からなり、平成７年９月６日に登録出願、第１１類「電球類及び照明用器具，あんどん，ガスランプ，石油ランプ，ちょうちん，ほや，火鉢類，ガス湯沸かし器，調理台，流し台，加熱器，冷凍機械器具，アイスボックス，氷冷蔵庫，飼料乾燥装置，牛乳殺菌機，乾燥装置，換熱器，蒸煮装置，蒸発装置，蒸留装置，熱交換器，暖冷房装置，家庭用電熱用品類，浴槽類，家庭用浄水器，水道蛇口用座金，水道蛇口用ワッシャー，水道用栓，タンク用水位制御弁，パイプライン用栓，汚水浄化槽，家庭用汚水浄化槽，家庭用し尿処理槽，ごみ焼却炉，し尿処理槽，洗浄機能付き便座，洗面所用消毒剤ディスペンサー，便器，和式便器用椅子，あんか，かいろ，かいろ灰，化学物質を充てんした保温保冷具，湯たんぽ」を指定商品として、同９年６月２７日に設定登録、その後、平成１９年１月２３日に商標権の存続期間の更新登録がなされ、現に有効に存続しているものである。
ウ　引用商標３は、別掲３に示すとおり、「ＴＩＧＥＲ」（構成中の「Ｇ」と「Ｅ」とは、結合されている。以下同じ。）の文字からなり、平成７年１１月１３日に登録出願、第９類「理化学機械器具，測定機械器具，配電用又は制御用の機械器具，電池，電気磁気測定器，電線及びケーブル，写真機械器具，映画機械器具，光学機械器具，眼鏡，加工ガラス（建築用のものを除く。），救命用具，レコード，オゾン発生器，電解槽，遊園地用機械器具，回転変流機，調相機，電気アイロン，電気式ヘアカーラー，電気式ワックス磨き機，電気掃除機，電気ブザー，鉄道用信号機，乗物の故障の警告用の三角標識，発光式又は機械式の道路標識，火災報知機，消火器，消火栓，消火ホース用ノズル，盗難警報器，保安用ヘルメット，磁心，抵抗線，電極，映写フィルム，スライドフィルム，スライドフィルム用マウント，録画済みビデオディスク及びビデオテープ，ガソリンステーション用装置，自動販売機，駐車場用硬貨作動式ゲート，計算尺，潜水用機械器具，アーク溶接機，犬笛，家庭用テレビゲームおもちゃ，金属溶断機，検卵器，電気溶接装置，電動式扉自動開閉装置，メトロノーム」を指定商品として、同９年１０月９日に設定登録、その後、平成１９年６月１２日に商標権の存続期間の更新登録がなされ、現に有効に存続しているものである。
エ　引用商標４は、別掲２に示すとおりの構成からなり、平成７年９月６日に登録出願、第７類「金属加工機械器具，鉱山機械器具，土木機械器具，荷役機械器具，化学機械器具，繊維機械器具，食料加工用又は飲料加工用の機械器具，製材用・木工用又は合板用の機械器具，パルプ製造用・製紙用又は紙工用の機械器具，印刷用又は製本用の機械器具，包装用機械器具，動力機械器具（陸上の乗物用のものを除く。），漁業用機械器具，ミシン，ガラス器製造機械，靴製造機械，製革機械，たばこ製造機械，起動器，交流電動機及び直流電動機（陸上の乗物用のものを除く。），交流発電機，直流発電機，芝刈機，修繕用機械器具，電気洗濯機，電気ミキサー，電動式カーテン引き装置，陶工用ろくろ，塗装機械器具，機械要素（陸上の乗物用のものを除く。）」を指定商品として、同９年１０月１７日に設定登録、その後、平成１９年６月１２日に商標権の存続期間の更新登録がなされ、現に有効に存続しているものである。
オ　引用商標５は、別掲３に示すとおり、「ＴＩＧＥＲ」の文字からなり、平成８年１２月５日に登録出願、第７類「金属加工機械器具，鉱山機械器具，土木機械器具，荷役機械器具，化学機械器具，繊維機械器具，食料加工用又は飲料加工用の機械器具，製材用・木工用又は合板用の機械器具，パルプ製造用・製紙用又は紙工用の機械器具，印刷用又は製本用の機械器具，包装用機械器具，動力機械器具（陸上の乗物用のものを除く。），漁業用機械器具，ミシン，ガラス器製造機械，靴製造機械，製革機械，たばこ製造機械，機械式の接着テープディスペンサー，自動スタンプ打ち器，起動器，交流電動機及び直流電動機（陸上の乗物用のものを除く。），交流発電機，直流発電機，芝刈機，修繕用機械器具，電気洗濯機，電機ブラシ，電気ミキサー，電動式カーテン引き装置，陶工用ろくろ，塗装機械器具，機械要素（陸上の乗物用のものを除く。）」を指定商品として、同１０年５月２２日に設定登録、その後、平成２０年４月１日に商標権の存続期間の更新登録がなされ、現に有効に存続しているものである。
カ　引用商標６は、別掲２に示すとおりの構成からなり、平成７年９月６日に登録出願、第２１類「ガラス基礎製品（建築用のものを除く。），なべ類，コーヒー沸かし（電気式又は貴金属製のものを除く。），鉄瓶，やかん，食器類（貴金属製のものを除く。），アイスペール，泡立て器，魚ぐし，携帯用アイスボックス，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），米びつ，ざる，シェーカー，しゃもじ，手動式のコーヒー豆ひき器及びこしょうひき，じょうご，食品保存用ガラス瓶，水筒，すりこぎ，すりばち，ぜん，栓抜き，大根卸し，タルト取り分け用へら，なべ敷き，はし，はし箱，ひしゃく，ふるい，まな板，魔法瓶，麺棒，焼き網，ようじ，レモン絞り器，ワッフル焼き型（電気式のものを除く。），清掃用具及び洗濯用具，化粧用具，おけ用ブラシ，金ブラシ，管用ブラシ，工業用はけ，船舶ブラシ，ブラシ用豚毛，洋服ブラシ，靴ブラシ，靴べら，靴磨き布，軽便靴クリーナー，シューツリー，ガラス製又は陶磁製の包装用容器，かいばおけ，家禽用リング，アイロン台，愛玩動物用食器，愛玩動物用ブラシ，犬のおしゃぶり，植木鉢，家庭園芸用の水耕式植物栽培器，家庭用燃え殻ふるい，紙タオル取り出し用金属製箱，霧吹き，靴脱ぎ器，こて台，小鳥かご，小鳥用水盤，じょうろ，寝室用簡易便器，石炭入れ，せっけん用ディスペンサー，貯金箱（金属製のものを除く。），トイレットペーパーホルダー，ねずみ取り器，はえたたき，へら台，湯かき棒，浴室用腰掛け，浴室用手おけ，ろうそく消し及びろうそく立て（金属製のものを除く。），花瓶（貴金属製のものを除く。），ガラス製又は陶磁製の立て看板，香炉，水盤（貴金属製のものを除く。），風鈴」を指定商品として、同１１年２月５日に設定登録、その後、平成２１年１月１３日に商標権の存続期間の更新登録がなされ、現に有効に存続しているものである。
キ　引用商標７は、別掲３に示すとおり、「ＴＩＧＥＲ」の文字からなり、平成８年１２月１０日に登録出願、第１０類「氷まくら，三角きん，支持包帯，手術用キャットガット，吸い飲み，スポイト，乳首，デンタルフロス，氷のう，氷のうつり，ほ乳用具，魔法ほ乳器，綿棒，指サック，避妊用具，人工鼓膜用材料，補綴充てん用材料（歯科用のものを除く。），耳栓，家庭用電気マッサージ器，しびん，病人用便器」を指定商品として、同１１年２月１９日に設定登録、その後、指定商品中「人工鼓膜用材料，補綴充てん用材料（歯科用のものを除く。）」については、同１１年９月２８日に本権の登録の一部抹消の登録がされ、平成２１年１月１３日に商標権の存続期間の更新登録がなされ、現に有効に存続しているものである。
ク　引用商標８は、別掲３に示すとおり、「ＴＩＧＥＲ」の文字からなり、平成８年１２月１０日に登録出願、第１１類「電球類及び照明用器具，あんどん，ガスランプ，石油ランプ，ちょうちん，ほや，火鉢類，ガス湯沸かし器，調理台，流し台，加熱器，冷凍機械器具，アイスボックス，氷冷蔵庫，牛乳殺菌機，乾燥装置，換熱器，蒸煮装置，蒸発装置，蒸留装置，熱交換器，暖冷房装置，家庭用電熱用品類，浴槽類，家庭用浄水器，水道蛇口用座金，水道蛇口用ワッシャー，水道用栓，タンク用水位制御弁，パイプライン用栓，汚水浄化槽，家庭用汚水浄化槽，家庭用し尿処理槽，ごみ焼却炉，し尿処理槽，洗浄機能付き便座，洗面所用消毒剤ディスペンサー，便器，和式便器用いす，あんか，かいろ，かいろ灰，化学物質を充てんした保温保冷具，湯たんぽ」を指定商品として、同１１年８月６日に設定登録、その後、平成２１年６月１６日に商標権の存続期間の更新登録がなされ、現に有効に存続しているものである。
ケ　引用商標９は、別掲４に示すとおりの構成からなり、平成１６年３月９日に登録出願、第１１類「便所ユニット，浴室ユニット，乾燥装置，換熱器，蒸煮装置，蒸発装置，蒸留装置，熱交換器，牛乳殺菌機，工業用炉，原子炉，飼料乾燥装置，ボイラー，暖冷房装置，冷凍機械器具，業務用衣類乾燥機，美容院用又は理髪店用の機械器具（いすを除く。），業務用加熱調理機械器具，業務用食器乾燥機，業務用食器消毒器，水道用栓，タンク用水位制御弁，パイプライン用栓，汚水浄化槽，し尿処理槽，ごみ焼却炉，太陽熱利用温水器，浄水装置，電球類及び照明用器具，家庭用電熱用品類，水道蛇口用座金，水道蛇口用ワッシャー，ガス湯沸かし器，加熱器，調理台，流し台，アイスボックス，氷冷蔵庫，家庭用浄水器，浴槽類，あんどん，ちょうちん，ガスランプ，石油ランプ，ほや，あんか，かいろ，かいろ灰，湯たんぽ，洗浄機能付き便座，洗面所用消毒剤ディスペンサー，便器，和式便器用いす，家庭用汚水浄化槽，家庭用し尿処理槽，化学物質を充てんした保温保冷具，火鉢類」を指定商品として、同年１２月２４日に設定登録され、現に有効に存続しているものである。　
　　
４　当審の判断
（１）本願商標と引用商標１、引用商標２、引用商標４及び引用商標６の類否について
　本願商標は、別掲１に示すとおり、「ＴＩＧＥＲ」の文字からなるところ、その構成文字中の「Ｇ」及び「Ｅ」は、結合されているものの、構成文字全体として「ＴＩＧＥＲ」の文字であることを容易に認識させるものであるから、該文字から、「タイガー」の称呼を生ずるものであり、かつ、「虎」の観念を生ずるものである。
　他方、引用商標１、引用商標２、引用商標４及び引用商標６は、別掲２に示すとおり、長方形内に虎の頭部をデザインしたと思しき図形（以下「虎様図形」という。）と、その右側に、構成文字中の「Ｇ」及び「Ｅ」が結合された「ＴＩＧＥＲ」の欧文字を書し、それらの下に、前記文字より小さく「タイガー魔法瓶」の文字を配してなるものである。
　しかして、前記引用商標構成中の虎様図形と「ＴＩＧＥＲ」の文字部分とは、視覚上分離して把握されるものであり、かつ、「ＴＩＧＥＲ」及び「タイガー魔法瓶」の文字部分においては、その構成文字の大きさを異にすることから、「ＴＩＧＥＲ」の文字と「タイガー魔法瓶」の文字部分も、視覚上分離し把握されるものである。
　また、前記引用商標は、構成全体として、なんらかの特定の意味合いを看取させる等、「虎様図形」と「ＴＩＧＥＲ」及び「タイガー魔法瓶」の文字を常に不可分一体のものとしてのみ観察されなければならないとすべき特段の事情は認められないものである
　さらに、前記引用商標の構成文字全体から生ずる「タイガータイガーマホウビン」の称呼は、冗長である。
　してみると、簡易迅速を尊ぶ取引の実際にあっては、前記引用商標に接する取引者、需要者は、大きく書された「ＴＩＧＥＲ」の文字部分に強く印象を留め、これをもって取引に資する場合も決して少なくないというべきである。  
　よって、前記引用商標は、構成文字全体に相応した「タイガータイガーマホウビン」の一連の称呼のほか、「ＴＩＧＥＲ」の文字部分に相応した「タイガー」の称呼をも生ずるものであり、かつ、「虎」の観念を生ずるものである。
　そこで、本願商標と前記引用商標とを比較するに、本願商標と前記引用商標とは、共に、「タイガー」の称呼及び「虎」の観念を共通にするものである。
　また、本願商標「ＴＩＧＥＲ」の文字と前記引用商標の構成中「ＴＩＧＥＲ」の文字とは、それぞれの構成に照らし、外観上、共通するものである。
　そして、本願の指定役務と、引用商標１の指定商品中「電気アイロン，電気式ヘアカーラー，電気式ワックス磨き機，電気掃除機，電気ブザー」、引用商標２の指定商品中「家庭用電熱用品類」、引用商標４の指定商品中「電気洗濯機，電気ミキサー」及び引用商標６の指定商品中「化粧用具」とは、商品の製造・販売と役務の提供が同一事業者によって行われることが一般的であり、商品の販売場所と役務の提供場所を同一にし、さらに、需要者を共通にするものであるから、本願の指定役務と前記引用商標に係る指定商品中の前記商品とは類似するものとみるのが相当である。
　してみれば、本願商標と前記引用商標とは、外観・称呼及び観念を共通にする類似の商標であり、本願商標をその指定役務に使用した場合は、その出所について誤認混同を生ずるおそれがあると認められる。
　　
（２）本願商標と引用商標３、引用商標５、引用商標７及び引用商標８の類否について  
　本願商標は、前記（１）のとおり、「タイガー」の称呼を生ずるものであり、かつ、「虎」の観念を生ずるものである。
　他方、引用商標３、引用商標５、引用商標７及び引用商標８は、別掲３に示すとおり、「ＴＩＧＥＲ」の文字からなるものであり、「タイガー」の称呼を生ずるものであり、かつ、「虎」の観念を生ずるものである。
　そこで、本願商標と前記引用商標とを比較するに、本願商標と前記引用商標とは、共に、「タイガー」の称呼及び「虎」の観念を共通にするものである。
　また、本願商標と前記引用商標とは、それぞれの構成に照らし、外観上、共通するものである。
　そして、本願の指定役務と、引用商標３の指定商品中「電気アイロン，電気式ヘアカーラー，電気式ワックス磨き機，電気掃除機，電気ブザー」、引用商標５の指定商品中「電気洗濯機，電機ブラシ，電気ミキサー」、引用商標７の指定商品中「家庭用電気マッサージ器」及び引用商標８の指定商品中「家庭用電熱用品類」とは、商品の製造・販売と役務の提供が同一事業者によって行われることが一般的であり、商品の販売場所と役務の提供場所を同一にし、さらに、需要者を共通にするものであるから、本願の指定役務と前記引用商標に係る指定商品中の前記商品とは類似するものとみるのが相当である。
　してみれば、本願商標と前記引用商標とは、外観・称呼及び観念を共通にする類似の商標であり、本願商標をその指定役務に使用した場合は、その出所について誤認混同を生ずるおそれがあると認められる。
　　　
（３）本願商標と引用商標９の類否について
　本願商標は、前記（１）のとおり、「タイガー」の称呼を生ずるものであり、かつ、「虎」の観念を生ずるものである。
　他方、引用商標９は、別掲４に示すとおり、二重円の外枠部分の上段に、白抜きされた「ＴＩＧＥＲ」の文字を書し、その下段に白抜きされた「ＣＡＦＥ　ＳＥＲＩＥＳ」の欧文字を書し、「ＴＩＧＥＲ」の文字と「ＣＡＦＥ　ＳＥＲＩＥＳ」に挟まれるように、左右に３粒のコーヒー豆様図形（以下「コーヒー豆様図形」という。）を配し、二重円の内側中央部に湯気が立ち上る暖かい飲み物が入ったコーヒーカップ様の図形（以下「コーヒーカップ様図形」という。）を配してなるものである。
　しかして、引用商標９の構成中の「コーヒーカップ様図形」及び「コーヒー豆様図形」と「ＴＩＧＥＲ」及び「ＣＡＦＥ　ＳＥＲＩＥＳ」の文字部分とは、視覚上分離して把握されるものである。
　また、「ＴＩＧＥＲ」及び「ＣＡＦＥ　ＳＥＲＩＥＳ」の文字部分においては、上段に「ＴＩＧＥＲ」の文字を、下段に「ＣＡＦＥ　ＳＥＲＩＥＳ」の文字を配してなるものであるから、該文字部分も、視覚上分離し把握されるものである。
　また、引用商標９が、構成全体として、なんらかの特定の意味合いを看取させる等、コーヒーカップ様図形」及び「コーヒー豆様図形」と「ＴＩＧＥＲ」及び「ＣＡＦＥ　ＳＥＲＩＥＳ」の文字を常に不可分一体のものとしてのみ観察されなければならないとすべき特段の事情は認められないものである
　さらに、引用商標９の構成文字全体から生ずる「タイガーカフェシリーズ」の称呼は、やや冗長である。
　してみると、簡易迅速を尊ぶ取引の実際にあっては、前記引用商標に接する取引者、需要者は、白抜きされ、かつ、上段に書された「ＴＩＧＥＲ」の文字部分に強く印象を留め、これをもって取引に資する場合も決して少なくないというべきである。
　よって、引用商標９は、構成文字全体に相応した「タイガーカフェシリーズ」の一連の称呼のほか、「ＴＩＧＥＲ」の文字部分に相応した「タイガー」の称呼をも生ずるものであり、かつ、「虎」の観念を生ずるものである。
　そこで、本願商標と引用商標９とを比較するに、本願商標と引用商標９とは、共に、「タイガー」の称呼及び「虎」の観念を共通にするものである。
　また、本願商標「ＴＩＧＥＲ」の文字と引用商標９の構成中の「ＴＩＧＥＲ」の文字とは、その文字の綴りを共通にするものであるから、外観上、類似するものである。
　そして、本願の指定役務と、引用商標９の指定商品中「家庭用電熱用品類」とは、商品の製造・販売と役務の提供が同一事業者によって行われることが一般的であり、商品の販売場所と役務の提供場所を同一にし、さらに、需要者を共通にするものであるから、本願の指定役務と引用商標９に係る指定商品中の前記商品とは類似するものとみるのが相当である。
　してみれば、本願商標と引用商標９とは、称呼及び観念を共通にし、かつ、外観上においても類似する商標であるから、本願商標をその指定役務に使用した場合は、その出所について誤認混同を生ずるおそれがあると認められる。
　　　 
（４）請求人（出願人）の主張について
　請求人は、「出願人である『タイガー魔法瓶株式会社』及び『タイガー計算器株式会社』は、本願商標と同一の商標である登録第１７８６２９５号商標の権利者であり、該登録商標の指定商品中には第１１類『家庭用電熱用品類』が含まれていることから、本願商標を登録したとしても何等問題は生じない。」旨主張する。
　しかしながら、商標法第４条第１項第１１号において、「当該商標登録出願の日前の商標登録出願に係る他人の登録商標又はこれに類似する商標であつて、その商標登録に係る指定商品若しくは指定役務又はこれらに類似する商品若しくは役務について使用をするものは、商標登録を受けることができない。」旨、規定されているところ、本願商標の出願人は、「タイガー魔法瓶株式会社」及び「タイガー計算器株式会社」であるところ、引用商標１ないし９の商標権者は、「タイガー魔法瓶株式会社」のみであり、「タイガー魔法瓶株式会社」及び「タイガー計算器株式会社」の共有の権利ではない。
　そうとすると、請求人と商標権者とは、同号で述べる「他人」と認定せざるを得ないものである。
　そして、本願商標と引用商標１ないし９との類否判断は、これらを個別具体的に行えば足り、過去の審査例等の判断に拘束されることなく検討されるべきものであって、本願商標と引用商標１ないし９とが類似する商標であることは、前記（１）ないし（３）で認定したとおりである。
　よって、請求人の上記主張は、採用することができない。
　その他の請求人の主張をもってしても、原査定の拒絶の理由を覆すに足りない。 
　　　　
（５）まとめ
　以上からすると、本願商標と引用商標１ないし引用商標９とは、外観において共通又は類似し、「タイガー」の称呼及び「虎」の観念を共通にする類似の商標であり、本願の指定役務は、引用商標１ないし引用商標９の指定商品と類似するものである。
　したがって、本願商標が、商標法第４条第１項第１１号に該当するとして本願を拒絶した原査定は、妥当であって、これを取り消すことはできない。
　よって、結論のとおり審決する。